【手続補正書】
【提出日】平成23年2月25日(2011.2.25)
【手続補正１】
【補正対象書類名】特許請求の範囲
【補正対象項目名】全文
【補正方法】変更
【補正の内容】
【特許請求の範囲】
【請求項１】
着脱可能な記録媒体が装着されたことを検知する記録媒体装着検知手段と、
前記記録媒体に記録されているファイルを解析するファイル解析手段と、
前記記録媒体の記録内容を代表する代表情報を該記録媒体から取得する取得手段と、
前記記録媒体装着検知手段によって前記記録媒体の装着が検知されたとき、前記ファイル解析手段によるファイル解析に先立って、前記取得手段により代表情報を取得して出力手段に出力する制御手段と、
記録媒体カバーの開閉状態を検知する記録媒体カバー検知手段とを備え、
前記制御手段は、前記代表情報を出力手段に出力した後、前記記録媒体カバー検知手段によって前記記録媒体カバーが開状態から閉状態に変化したことを検知したとき、前記ファイル解析手段によるファイル解析を開始することを特徴とする再生装置。
【請求項２】
着脱可能な記録媒体が装着されたことを検知する記録媒体装着検知手段と、
前記記録媒体に記録されているファイルを解析するファイル解析手段と、
前記記録媒体の記録内容を代表する代表情報を該記録媒体から取得する取得手段と、
前記記録媒体装着検知手段によって前記記録媒体の装着が検知されたとき、前記ファイル解析手段によるファイル解析に先立って、前記取得手段により代表情報を取得して出力手段に出力する制御手段と、
計時手段とを備え、
前記制御手段は、前記代表情報を出力手段に出力した後、前記計時手段によって所定時間経過したことを検知したとき、前記ファイル解析手段によるファイル解析を開始することを特徴とする再生装置。
【請求項３】
前記取得手段は、前記代表情報を、ファイルのディレクトリ、ファイル名、及びファイル拡張子に基づいて取得することを特徴とする請求項１又は２に記載の再生装置。
【請求項４】
前記記録媒体には、ファイルシステムで管理される第一領域と、ファイルシステム管理外領域である第二領域とが存在し、
前記第一領域の記録内容を代表する前記代表情報を作成し、前記第二領域に記録する代表情報作成・記録処理手段を更に備え、
前記第一領域の記録内容を代表する代表情報が前記第二領域に記録されており、前記取得手段は前記第二領域から代表情報を取得することを特徴とする請求項１又は２に記載の再生装置。
【請求項５】
前記代表情報は、画像及び文字列のいずれか一方又は両方からなることを特徴とする請求項１〜４のいずれか１項に記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００１
【補正方法】変更
【補正の内容】
【０００１】
本発明は、着脱可能な記録媒体が装着される再生装置に関する。
【手続補正４】
【補正対象書類名】明細書
【補正対象項目名】０００６
【補正方法】変更
【補正の内容】
【０００６】
上記のような課題を解決するために、記録媒体にＩＣタグを付けることにより、記録内容をユーザに瞬時に知らせる発明が開示されている（例えば特許文献１を参照）。
また、その他の技術として、ビデオテープの装着が認識されたら、テープに記録されたラベル情報（録画日付やタイトル）を解析して表示させる内容が開示されている（例えば特許文献２を参照）。さらに他の技術は、電源投入に応じて、動画像情報の撮影及び記録が可能となるまでの所定期間、記憶された代表画像信号による画像を表示させる内容が開示されている（例えば特許文献３を参照）。
【手続補正５】
【補正対象書類名】明細書
【補正対象項目名】０００７
【補正方法】変更
【補正の内容】
【０００７】
【特許文献１】特開２００５−２６７７３１号公報
【特許文献２】特開平０２−２５７４８５号公報
【特許文献３】特開２００６−００５７２３号公報
【手続補正６】
【補正対象書類名】明細書
【補正対象項目名】０００８
【補正方法】変更
【補正の内容】
【０００８】
しかしながら、特許文献１にあるように記録媒体にＩＣタグを付ける構成とすると、記録媒体やホスト機器にアンテナや読み取り装置を新たに追加する必要があり、コストが掛かってしまう問題がある。
また、特許文献２はテープ媒体での内容であるので、メモリカードのようにサイズが小さく、メディア表面のレーベルにタイトルやメモを記入することができないものは外見から記録内容を確認するのは困難である。
また、特許文献３ではユーザが選んだ代表画像しか表示させることができず、結局は内容の確認のために画像を順次再生しなくてはならないという問題がある。
【手続補正７】
【補正対象書類名】明細書
【補正対象項目名】００１０
【補正方法】変更
【補正の内容】
【００１０】
本発明の再生装置は、着脱可能な記録媒体が装着されたことを検知する記録媒体装着検知手段と、前記記録媒体に記録されているファイルを解析するファイル解析手段と、
前記記録媒体の記録内容を代表する代表情報を該記録媒体から取得する取得手段と、前記記録媒体装着検知手段によって前記記録媒体の装着が検知されたとき、前記ファイル解析手段によるファイル解析に先立って、前記取得手段により代表情報を取得して出力手段に出力する制御手段と、記録媒体カバーの開閉状態を検知する記録媒体カバー検知手段とを備え、前記制御手段は、前記代表情報を出力手段に出力した後、前記記録媒体カバー検知手段によって前記記録媒体カバーが開状態から閉状態に変化したことを検知したとき、前記ファイル解析手段によるファイル解析を開始することを特徴とする。
本発明の別の再生装置は、着脱可能な記録媒体が装着されたことを検知する記録媒体装着検知手段と、前記記録媒体に記録されているファイルを解析するファイル解析手段と、前記記録媒体の記録内容を代表する代表情報を該記録媒体から取得する取得手段と、前記記録媒体装着検知手段によって前記記録媒体の装着が検知されたとき、前記ファイル解析手段によるファイル解析に先立って、前記取得手段により代表情報を取得して出力手段に出力する制御手段と、計時手段とを備え、前記制御手段は、前記代表情報を出力手段に出力した後、前記計時手段によって所定時間経過したことを検知したとき、前記ファイル解析手段によるファイル解析を開始することを特徴とする。
【手続補正８】
【補正対象書類名】明細書
【補正対象項目名】００４１
【補正方法】変更
【補正の内容】
【００４１】
ファイル解析に先立って、ステップＳ３０３で、代表情報有無判定手段１１５によって代表情報が登録済みか否かを判定する。すなわち、"PRIVATE"フォルダの検索を行い、"PRIVATE"フォルダが存在する場合、フォルダ内を検索して"TITLE.JPG"のファイルの有無を判定する。同時に"TITLE.DAT"のファイルの有無を判定する。"TITLE.JPG"及び"TITLE.DAT"のいずれか一方又は両方のファイルが存在した場合、代表情報が登録されていると判定する。なお、本実施形態でいうファイル解析とは、図４でいう代表情報が登録された"PRIVATE"フォルダに対してではなく、"DCIM"フォルダ（代表情報が登録されたフォルダ以外の、元データが入ったフォルダ）以下に対しての解析を意味する。
【手続補正９】
【補正対象書類名】明細書
【補正対象項目名】００７０
【補正方法】変更
【補正の内容】
【００７０】
システムコントローラ１０５０の代表情報有無判定処理部１０５３は、記録媒体１１００の第二領域に代表情報が記録されているか否かの判定を行う。ここでは、記録媒体１１００の第二領域にアクセスし、第二領域にある識別子が代表情報識別子１３０１と一致するか否かの判定を行い、一致した場合には代表情報有りと判定する。
【手続補正１０】
【補正対象書類名】明細書
【補正対象項目名】００８６
【補正方法】変更
【補正の内容】
【００８６】
ステップＳ６０３では、代表情報有無判定処理部１０５３によってステップＳ６０２で特定した領域位置の識別子を取得し、代表情報が存在するか否かの判定を行う。この取得した識別子が代表情報識別子１３０１と一致し、代表情報が存在すると判定した場合にはステップＳ６０４に進み、存在しなかった場合にはステップＳ６０６に進む。
【手続補正１１】
【補正対象書類名】明細書
【補正対象項目名】０１０１
【補正方法】変更
【補正の内容】
【０１０１】
記録媒体１１００の第一領域の領域構成を行う際に、第二領域を必要サイズ確保する方法について説明する。代表情報１３００の全体サイズが確定している場合には、ファイルシステム管理部１０５１によって、ファイルシステム規約の範囲で、システム領域１２０２以降の領域開始位置を後方にずらして、ファイルシステム領域を構成する。これにより、代表情報を記録するための第二領域のサイズを確保することが可能となる。また、ファイルシステムの規約でシステム領域１２０２以降の開始位置を後方にずらすことが困難であるものについては、サイズの小さな記録媒体としてファイルシステムを構成してもよい。これにより、記録媒体の記録領域の最後の部分１２０５を第二領域として確保することが可能である。
【手続補正１２】
【補正対象書類名】図面
【補正対象項目名】図９
【補正方法】変更
【補正の内容】
【図９】
2009206652.tif 000001